【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
モデムダイヤルアップのための方法であって、
ブロードバンドデバイスによって、ワイヤレスネットワーク側デバイスの第1のリンク制御プロトコルLCP要求メッセージを受信するステップと、
前記第1のLCP要求メッセージの拡張認証プロトコルEAP認証フィールドを、ダイヤルアップ端末によってサポートされる認証フィールドに処理するステップと、
処理された第1のLCP要求メッセージを前記ダイヤルアップ端末に送るステップと、
前記ダイヤルアップ端末によって返された第1のLCP応答メッセージを受信するステップと、
前記第1のLCP応答メッセージの認証フィールドを、前記ワイヤレスネットワーク側デバイスによってサポートされる認証フィールドに処理するステップと、
処理された第1のLCP応答メッセージを前記ワイヤレスネットワーク側デバイスに送るステップと、
前記ワイヤレスネットワーク側デバイスからインターネットプロトコルIPアドレスを収集するステップと、前記IPアドレスを前記ダイヤルアップ端末に送るステップと
を含む、モデムダイヤルアップのための方法。
【請求項２】
前記第1のLCP要求メッセージのEAP認証フィールドを、ダイヤルアップ端末によってサポートされる認証フィールドに処理する前記ステップは、
前記ブロードバンドデバイスによって、前記EAP認証フィールドを削除するステップを含み、
前記第1のLCP応答メッセージの認証フィールドを、前記ワイヤレスネットワーク側デバイスによってサポートされる認証フィールドに処理する前記ステップは、
前記ブロードバンドデバイスによって、前記EAP認証フィールドを前記第1のLCP応答メッセージ中に追加するステップを含む、
請求項1に記載の方法。
【請求項３】
前記第1のLCP要求メッセージのEAP認証フィールドを、ダイヤルアップ端末によってサポートされる認証フィールドに処理する前記ステップは、
前記ブロードバンドデバイスによって、前記EAP認証フィールドをパスワード認証プロトコルPAPまたはチャレンジハンドシェイク認証プロトコルCHAP認証フィールドと交換するステップを含み、
前記第1のLCP応答メッセージの認証フィールドを、前記ワイヤレスネットワーク側デバイスによってサポートされる認証フィールドに処理する前記ステップは、
前記ブロードバンドデバイスによって、前記第1のLCP応答メッセージ中の前記PAPまたはCHAP認証フィールドを前記EAP認証フィールドと交換するステップを含み、前記第1のLCP応答メッセージは前記ダイヤルアップ端末によって返される、
請求項1に記載の方法。
【請求項４】
前記ワイヤレスネットワーク側デバイスからインターネットプロトコルIPアドレスを収集する前記ステップは、
前記第1のLCP応答メッセージ中の前記処理された認証フィールドに従って前記ブロードバンドデバイスと前記ワイヤレスネットワーク側デバイスとの間でEAP認証を実施するステップと、
前記ブロードバンドデバイスが前記ブロードバンドデバイスと前記ワイヤレスネットワーク側デバイスとの間で前記EAP認証を完了した後に、前記インターネットプロトコルIPアドレスを収集するために前記ワイヤレスネットワーク側デバイスとのベンダー固有ネットワーク制御プロトコルVSNCPネゴシエーションを実施するステップと
を含む、請求項1から3のいずれか一項に記載の方法。
【請求項５】
前記IPアドレスを前記ダイヤルアップ端末に送る前記ステップは、
前記ブロードバンドデバイスと前記ダイヤルアップ端末との間のインターネットプロトコルIP制御プロトコルIPCPネゴシエーションによって前記IPアドレスを前記ダイヤルアップ端末に送るステップ
を含む、請求項1から4のいずれか一項に記載の方法。
【請求項６】
モデムダイヤルアップのためのブロードバンドデバイスであって、
ワイヤレスネットワーク側デバイスの第1のリンク制御プロトコルLCP要求メッセージを受信するように受信機を制御するように構成され、前記受信機によって受信された前記第1のLCP要求メッセージを第1のフィールド処理ユニットに送る、要求受信ユニットと、
前記要求受信ユニットによって送られた前記第1のLCP要求メッセージの拡張認証プロトコルEAP認証フィールドを、ダイヤルアップ端末によってサポートされる認証フィールドに処理する、前記第1のフィールド処理ユニットと、
前記第1のフィールド処理ユニットによって処理された前記第1のLCP要求メッセージを前記ダイヤルアップ端末に送るように送信機を制御する、要求送信ユニットと、
前記ダイヤルアップ端末によって返された第1のLCP応答メッセージを受信するように前記受信機を制御するように構成され、前記受信機によって受信された前記第1のLCP応答メッセージを第2のフィールド処理ユニットに送る、肯定応答受信ユニットと、
前記肯定応答受信ユニットによって送られた前記第1のLCP応答メッセージの認証フィールドを、前記ワイヤレスネットワーク側デバイスによってサポートされる認証フィールドに処理する、前記第2のフィールド処理ユニットと、
前記第2のフィールド処理ユニットによって処理された前記第1のLCP応答メッセージを前記ワイヤレスネットワーク側デバイスに送るように前記送信機を制御する、肯定応答送信ユニットと、
前記ワイヤレスネットワーク側デバイスからインターネットプロトコルIPアドレスを収集する、アドレス収集ユニットと、
前記アドレス収集ユニットによって収集された前記IPアドレスを前記ダイヤルアップ端末に送るように前記送信機を制御する、アドレス送信ユニットと
を備える、モデムダイヤルアップのためのブロードバンドデバイス。
【請求項７】
前記第1のフィールド処理ユニットは、前記EAP認証フィールドを削除するように特に構成され、
前記第2のフィールド処理ユニットは、前記EAP認証フィールドを前記第1のLCP応答メッセージ中に追加するように特に構成される、
請求項6に記載のブロードバンドデバイス。
【請求項８】
前記第1のフィールド処理ユニットは、前記EAP認証フィールドをパスワード認証プロトコルPAPまたはチャレンジハンドシェイク認証プロトコルCHAP認証フィールドと交換するように特に構成され、前記第2のフィールド処理ユニットは、前記第1のLCP応答メッセージ中の前記PAPまたはCHAP認証フィールドを前記EAP認証フィールドと交換するように特に構成され、前記第1のLCP応答メッセージは前記ダイヤルアップ端末によって返される、請求項6に記載のブロードバンドデバイス。
【請求項９】
前記肯定応答送信ユニットが前記処理された第1のLCP応答メッセージを前記ワイヤレスネットワーク側デバイスに送るように前記送信機を制御した後に、前記第1の肯定応答メッセージ中の前記処理された認証フィールドに従って前記ブロードバンドデバイスと前記ワイヤレスネットワーク側デバイスとの間でEAP認証を実施する、認証ユニットをさらに備え、
前記アドレス収集ユニットは、前記認証ユニットが前記ブロードバンドデバイスと前記ワイヤレスネットワーク側デバイスとの間で前記EAP認証を完了した後に、前記インターネットプロトコルIPアドレスを収集するために前記ワイヤレスネットワーク側デバイスとのベンダー固有ネットワーク制御プロトコルVSNPネゴシエーションを実施するようにさらに構成される、
請求項6から8のいずれか一項に記載のブロードバンドデバイス。
【請求項１０】
前記アドレス送信ユニットは、前記ダイヤルアップ端末とともに前記インターネットプロトコルIP制御プロトコルIPCPを使用することによって前記IPアドレスを前記ダイヤルアップ端末に送るように前記送信機を制御するように特に構成される、請求項6から9のいずれか一項に記載のブロードバンドデバイス。
【手続補正２】
【補正対象書類名】明細書
【補正対象項目名】００１０
【補正方法】変更
【補正の内容】
【００１０】
第1の態様、あるいは第1の態様の第1または第2の可能な実装様式に関して、第1の態様の第3の可能な実装様式では、
ワイヤレスネットワーク側デバイスからインターネットプロトコルIPアドレスを収集するステップは、第1の肯定応答メッセージ中の処理された認証フィールドに従ってブロードバンドデバイスとワイヤレスネットワーク側デバイスとの間でEAP認証を実施するステップと、
ブロードバンドデバイスがブロードバンドデバイスとワイヤレスネットワーク側デバイスとの間のEAP認証を完了した後に、インターネットプロトコルIPアドレスを収集するためにワイヤレスネットワーク側デバイスとのベンダー固有ネットワーク制御プロトコルVSNCPネゴシエーションを実施するステップと
を含む。
【手続補正３】
【補正対象書類名】明細書
【補正対象項目名】００１１
【補正方法】変更
【補正の内容】
【００１１】
第1の態様、あるいは第1の態様の第1から第3の可能な実装様式のいずれか1つに関して、第1の態様の第4の可能な実装様式では、
IPアドレスをダイヤルアップ端末に送るステップは、
ブロードバンドデバイスとダイヤルアップ端末との間のインターネットプロトコルIP制御プロトコルIPCPネゴシエーションによってIPアドレスをダイヤルアップ端末に送るステップを含む。